(57)【要約】【課題】屋根支持材に設けた受け部に対する屋根材の保持力を高め、主板部の面積を広くして屋根材の敷設枚数を低減する。【解決手段】屋根支持材２０に設けた受け部２１は、両側縁に上段受け部２５ｃ及び下段受け部２３ｃがそれぞれ一対ずつ形成されている。屋根材２２Ｂの一方の側縁のすくい側係止部２７は、受け部の一方の側縁で係合し、受け部の一方の側縁の下段受け部に弾性的に係止するすくい側下段係止部３０と、受け部の一方の側縁の上段受け部に弾性的に係止するすくい側上段係止部３２とを備えている。屋根材２２Ａの他方の側縁のかぶせ側係止部２８は、受け部の両側縁に係合する冠形状をなし、受け部の両側縁の一対の下段受け部に弾性的に係止する一対のかぶせ側下段係止部３３，３７と、受け部の両側縁の一対の上段受け部に弾性的に係止する一対のかぶせ側上段係止部３４，３６とを備えている。【選択図】図２
2010070982.tif 000002
【特許請求の範囲】
【請求項１】
屋根支持材に設けた受け部と、金属板からなる屋根材の主板部の一方の側縁に折曲形成したすくい側係止部と、前記主板部の他方の側縁に折曲形成したかぶせ側係止部とを有し、前記受け部に、隣接配置した一対の屋根材の前記すくい側係止部及び前記かぶせ側係止部を被せて係止することで前記屋根材を葺く屋根葺き構造において、
前記受け部は、屋根材の葺き方向の両側縁に上段受け部及び下段受け部がそれぞれ一対ずつ形成されており、
前記すくい側係止部は、前記受け部の一方の側縁で係合し、前記受け部の一方の側縁の前記下段受け部に弾性的に係止するすくい側下段係止部と、前記受け部の一方の側縁の前記上段受け部に弾性的に係止するすくい側上段係止部とを備え、
前記かぶせ側係止部は、前記受け部の両側縁に係合する冠形状をなし、前記受け部の両側縁の前記一対の下段受け部に弾性的に係止する一対のかぶせ側下段係止部と、前記受け部の両側縁の前記一対の上段受け部に弾性的に係止する一対のかぶせ側上段係止部とを備えていることを特徴とする屋根葺き構造。
【請求項２】
前記受け部の前記一方の側縁で係合する前記かぶせ側下段係止部は、前記すくい側下段係止部を介して前記受け部の前記下段受け部に弾性的に係止しているとともに、前記受け部の前記一方の側縁で係合する前記かぶせ側上段係止部は、前記すくい側上段係止部を介して前記受け部の前記段受止部に弾性的に係止していることを特徴とする請求項１記載の屋根葺き構造。
【請求項３】
前記受け部は、略台形状の第１受け部と、この第１受け部の頂辺部に固定した第２受け部とで構成され、
前記第１受け部は、前記頂辺部の両側縁から外側斜め下向きに迫り出した一対の斜辺部と、これら斜辺部の下縁を内側に折曲して形成された前記一対の下段受け部とを備え、
前記第２受け部は、前記頂辺部に当接する当接板部と、この当接板部の両側縁から互いに上方に延在する一対の係合板部を備えた横断面略コ字形状の部材であり、前記一対の係合板部の端部を外側に折曲することで前記一対の上段受け部が形成されていることを特徴とする請求項１又は２記載の屋根葺き構造。
【発明の詳細な説明】
【技術分野】
【０００１】
本発明は、工場や倉庫等の建造物に使用される金属製の折板屋根材を用いた屋根葺き構造に関する。
【背景技術】
【０００２】
近年、工場や倉庫等の柱や梁が少なく大きな空間を持つ建造物に、複数の金属製の折板屋根材を用いた屋根葺き構造が用いられている。
従来の屋根葺き構造として、例えば特許文献１の屋根葺き構造が知られている。
この屋根葺き構造は、図４に示すように、屋根の構造材１上に固定した受金具２と、連結ボルトを使用せずに受金具２に係合する屋根材３とで構成されている。
【０００３】
受金具２は、一枚の帯板を折曲した側面視左右対称の略台形状部材であり、頂辺部４と、一対の上段受け部５と、これら上段受け部５の下部に形成した一対の下段受け部６と、これら一対の下段受け部６の下縁から垂下する脚部７とを備えている。
屋根材３は、金属板を折曲して一様な断面とした部材であり、幅方向の中央部分に形成される主板部８と、主板部８の一方の側縁に形成した冠状部９Ａと、主板部８の他方の側縁に形成した冠状部９Ｂを有し、一方の冠状部９Ａがすくい側、他方の冠状部９Ｂがかぶせ側とし、それら冠状部９Ａ，９Ｂが受金具２上で順次重ね合わされるようになっている。
冠状部９Ａ，９Ｂは、主板部８側に形成した内側係止部１０Ａ，１０Ｂと、略水平に張り出した頂面部１１Ａ，１１Ｂと、端部に形成した外端係止部１２Ａ，１２Ｂとを備えている。
【０００４】
そして、図４の破線で示すように、すくい側の冠状部９Ａは、内側係止部１０Ａが受金具２の一方の下段受け部６に弾性変形しながら係合し、外端係止部１２Ａが受金具２の一方の上段受け部５に弾性変形しながら係合して受金具２の頂辺部４を覆って配置されている。また、かぶせ側の冠状部９Ｂは、外端係止部１２Ｂが、すくい側の冠状部９Ａの内側係止部１０Ａを介して受金具２の一方の下段受け部６に弾性変形しながら係合し、内側係止部１０Ｂが受金具２の他方の下段受け部６に弾性変形しながら係合することで、すくい側の冠状部９Ａを介して受金具２の頂辺部４を覆って配置されている。
【特許文献１】特許第３４２６５４８号公報（図１）
【発明の開示】
【発明が解決しようとする課題】
【０００５】
ところで、上述した特許文献１の屋根葺き構造は、受金具２に対する屋根材３の保持力高めるため、すくい側の冠状部９Ａ及びかぶせ側の冠状部９Ｂは受金具２の頂辺部４を覆う形状としており、屋根材３は、受金具２全体を覆う冠状部９Ａ，９Ｂを形成するために大きな面積を必要とし、主板部８の面積が狭くなる。このため、主板部８の面積が狭い屋根材３を多数使用することで、施工コストが増大した屋根葺き構造となるおそれがある。
本発明は、上記事情に鑑みてなされたものであり、屋根構造材に設けた受け部に対する屋根材の保持力を高めることができるとともに、主板部の面積が広く、敷設枚数を少なくした屋根材を使用することで施工コストの低減化を図ることができる屋根葺き構造を提供することを目的とする。
【課題を解決するための手段】
【０００６】
上記課題を解決するため、本発明に係る請求項１の屋根葺き構造は、屋根支持材に設けた受け部と、金属板からなる屋根材の主板部の一方の側縁に折曲形成したすくい側係止部と、前記主板部の他方の側縁に折曲形成したかぶせ側係止部とを有し、前記受け部に、隣接配置した一対の屋根材の前記すくい側係止部及び前記かぶせ側係止部を被せて係止することで前記屋根材を葺く屋根葺き構造において、前記受け部は、屋根材の葺き方向の両側縁に上段受け部及び下段受け部がそれぞれ一対ずつ形成されており、前記すくい側係止部は、前記受け部の一方の側縁で係合し、前記受け部の一方の側縁の前記下段受け部に弾性的に係止するすくい側下段係止部と、前記受け部の一方の側縁の前記上段受け部に弾性的に係止するすくい側上段係止部とを備え、前記かぶせ側係止部は、前記受け部の両側縁に係合する冠形状をなし、前記受け部の両側縁の前記一対の下段受け部に弾性的に係止する一対のかぶせ側下段係止部と、前記受け部の両側縁の前記一対の上段受け部に弾性的に係止する一対のかぶせ側上段係止部とを備えている。
【０００７】
また、請求項２記載の発明は、請求項１記載の屋根葺き構造において、前記受け部の前記一方の側縁で係合する前記かぶせ側下段係止部は、前記すくい側下段係止部を介して前記受け部の前記下段受け部に弾性的に係止しているとともに、前記受け部の前記一方の側縁で係合する前記かぶせ側上段係止部は、前記すくい側上段係止部を介して前記受け部の前記段受止部に弾性的に係止している。
【０００８】
さらに、請求項３記載の発明は、請求項１又は２記載の屋根葺き構造において、前記受け部は、略台形状の第１受け部と、この第１受け部の頂辺部に固定した第２受け部とで構成され、前記第１受け部は、前記頂辺部の両側縁から外側斜め下向きに迫り出した一対の斜辺部と、これら斜辺部の下縁を内側に折曲して形成された前記一対の下段受け部とを備え、前記第２受け部は、前記頂辺部に当接する当接板部と、この当接板部の両側縁から互いに上方に延在する一対の係合板部を備えた横断面略コ字形状の部材であり、前記一対の係合板部の端部を外側に折曲することで前記一対の上段受け部が形成されている。
【発明の効果】
【０００９】
本発明に係る屋根葺き構造によると、従来構造のような屋根材の両側縁に冠形状の係止部を形成せず、屋根材の一方の側縁には、構造材の受け部の一方の側縁に係合するすくい側係止部を形成することで主板部の面積が広くなる。このため、主板部の面積が広い屋根材を使用することで屋根材の敷設枚数が少なくなり、施工コストの低減化を図ることができる。
また、屋根材の他方の縁部に形成したかぶせ側係止部は、受け部の両側縁に係合する冠形状をなし、受け部の両側縁の一対の下段受け部に弾性的に係止する一対のかぶせ側下段係止部と、受け部の両側縁の一対の上段受け部に弾性的に係止する一対のかぶせ側上段係止部とを備えているので、受け部に対する屋根材の保持力を高めることができる。
【発明を実施するための最良の形態】
【００１０】
以下、この発明に係る屋根葺き構造について図面を参照しながら説明する。
本実施形態の屋根葺き構造は、図１に示すように、梁、母屋等の屋根構造材上に固定されて桁行方向に延在している屋根支持材２０に所定間隔をあけて形成した受け部２１と、所定の受け部２１に側縁を被せることで係止される複数枚の屋根材２２Ａ，２２Ｂとを備えた構造である。
受け部２１には、屋根材２２Ｂのすくい側係止部２７が係合し、その上に、屋根材２２Ａのかぶせ側係止部２８が係合することで、受け部２１を介して屋根材２２Ａ，２２Ｂの側縁どうしが接続されている。
【００１１】
以下に、本実施形態の屋根葺き構造を構成する受け部２１及び屋根材２２Ａ，２２Ｂについて詳細に説明する。
図２に示すように、受け部２１は、略台形状に形成された第１受け部２３と、この第１受け部２３の頂辺部２３ａに固定ビス２４を介して固定された第２受け部２５とで構成されている。
第１受け部２３は、頂辺部２３ａの両側縁から外側斜め下向きに迫り出した一対の斜辺部２３ｂと、これら一対の斜辺部２３ｂの下縁を内側に折曲して形成された一対の下段受け部２３ｃとを備えている。
【００１２】
第２受け部２５は、第１受け部２３の頂辺部２３ａに当接する当接板部２５ａと、この当接板部２５ａの両側縁から互いに上方に延在する一対の係合板部２５ｂを備えた横断面略コ字形状の部材である。そして、一対の係合板部２５ｂの上端部には、互いに離間する外側に折曲することで一対の上段受け部２５ｃが形成されている。
一方、屋根材２２Ａ，２２Ｂは、図３に示すように、長方形状の金属板を折曲形成した部材であり、主板部２６の長手方向の一方の側縁に形成したすくい側係止部２７と、主板部２６の長手方向の他方の側縁に形成したかぶせ側係止部２８と、主板部２６の途中に形成したかぶせ側係止部２８及び凸条２９とを備えている。
【００１３】
すなわち、図３に示すように、すくい側係止部２７は、主板部２６の一方側から外方斜め上方に立ち上がり、主板部２６に対して外方に突出しているすくい側下段係止部３０と、このすくい側下段係止部３０から外方斜め上方に立ち上がり、主板部２６に対して外方に屈曲した受け部当接部３１と、この受け部当接部３１から外方斜め上方に立ち上がり、先端部が主板部２６側に折り返された略Ｖ字形状のすくい側上段係止部３２とで構成されている。
【００１４】
また、図３に示すように、かぶせ側係止部２８は冠形状をなし、主板部２６の他方側から外方斜め上方に立ち上がり、主板部２６に対して外方に突出しているかぶせ側下段係止部３３と、このかぶせ側下段係止部３３から外方斜め上方に立ち上がり、主板部２６に対して外方に突出しているかぶせ側上段係止部３４と、このかぶせ側上段係止部３４から主板部２６に対して略平行となるように外方に延在している天板部３５と、この天板部３５から主板部２６に対して外方斜め下方に下がり、主板部２６に対して内方に突出しているかぶせ側上段係止部３６と、このかぶせ側上段係止部３６から主板部２６に対して外方斜め下方に下がり、主板部２６に対して内方に突出しているかぶせ側下段係止部３７と、このかぶせ側下段係止部３７から主板部２６に対して外方斜め下方に下がり、先端部が主板部２６側に折り返された略Ｖ字形状の主板係止部３８とで構成されている。
【００１５】
また、主板部２６の途中に形成したかぶせ側係止部２８は、図３に示すように、主板部２６の長手方向の他方の側縁に形成したかぶせ側係止部２８と、主板係止部３８を除いた構造と同一形状に形成されている。
そして、図２に示すように、屋根材２２Ｂの主板部２６の長手方向の一方の側縁に形成したすくい側係止部２７は、すくい側下段係止部３０が受け部２１の一方の側縁の下段受け部２３ｃに弾性的に係止し、すくい側上段係止部３２が受け部２１の一方の側縁の上段受け部２５ｃに弾性的に係止し、受け部当接部３１が受け部２１の頂辺部２３ａに接触可能に延在した状態で、受け部２１の一方の側縁に係合されている。
【００１６】
また、屋根材２２Ａの主板部２６の長手方向の他方の側縁に形成されているかぶせ側係止部２８は、図２に示すように、受け部２１の一方の側縁に屋根材２２Ｂのすくい側係止部２７が係合された状態で、かぶせ側下段係止部３３が受け部２１の他方の側縁の下段受け部２３ｃに弾性的に係止し、かぶせ側上段係止部３４が受け部２１の他方の側縁の上段受け部２５ｃに弾性的に係止し、かぶせ側上段係止部３６が、すくい側上段係止部３２を介して受け部２１の一方の側縁の上段受け部２５ｃに弾性的に係止し、かぶせ側下段係止部３７が、すくい側下段係止部３０を介して受け部２１の一方の側縁の下段受け部２３ｃに弾性的に係止した状態で、受け部２１の両側縁に係合して受け部２１全体を覆って係合されている。
【００１７】
また、屋根材２２Ａの主板部２６の途中に形成されているかぶせ側係止部２８は、図１に示すように、かぶせ側下段係止部３３が受け部２１の他方の側縁の下段受け部２３ｃに弾性的に係止し、かぶせ側上段係止部３４が受け部２１の他方の側縁の上段受け部２５ｃに弾性的に係止し、かぶせ側上段係止部３６が受け部２１の一方の側縁の上段受け部２５ｃに弾性的に係止し、かぶせ側下段係止部３７が受け部２１の一方の側縁の下段受け部２３ｃに弾性的に係止した状態で、受け部２１の両側縁に係合して受け部２１全体を覆って係合されている。
【００１８】
次に、上記構成の屋根葺き構造の作用効果について説明する。
本実施形態の屋根葺き構造を構成する屋根材２２Ａ（２２Ｂ）は、長手方向の一方の側縁に、受け部２１の一方の側縁のみに係合するすくい側係止部２７が形成され、長手方向の他方の側縁に、受け部２１の両側縁に係合して受け部２１全体を覆って係合するかぶせ側係止部２８が形成されているので、受金具全体を覆うために両側縁に冠状部を形成した従来の屋根材と比較して、すくい側係止部２７及びかぶせ側係止部２８を形成するための面積を小さくし、主板部２６の面積を広くとることができる。このため、主板部２６の面積が広い屋根材２２Ａ（２２Ｂ）を使用することで、屋根材２２Ａ（２２Ｂ）の敷設枚数を少なくして施工コストの低減化を図ることができる。
【００１９】
また、本実施形態の屋根材２２Ａ（２２Ｂ）のかぶせ側係止部２８は、一対のかぶせ側下段係止部３３，３７が，受け部２１の両側縁の下段受け部２３ｃ，２３ｃに弾性的に係止し、一対のかぶせ側上段係止部３４，３６が受け部２１の両側縁の上段受け部２５ｃ，２５ｃに弾性的に係止しており、従来の屋根葺き構造と比較して、受け部２１に弾性的に係止する箇所が増大しているので、屋根支持材２０（受け部２１）に対する屋根材２２Ａ（２２Ｂ）の長手方向の他方の側縁の保持力が高まる。また、かぶせ側上段係止部３６は、すくい側上段係止部３２を介して受け部２１の一方の側縁の上段受け部２５ｃに弾性的に係止し、かぶせ側下段係止部３７は、すくい側下段係止部３０を介して受け部２１の一方の側縁の下段受け部２３ｃに弾性的に係止しているので、屋根支持材２０（受け部２１）に対する屋根材２２Ａ（２２Ｂ）の長手方向の一方の側縁の保持力も高まる。
【００２０】
したがって、暴風時等に屋根材２２Ａ（２２Ｂ）を押し上げる風圧が作用しても、屋根支持材２０（受け部２１）に対する屋根材２２Ａ（２２Ｂ）の保持力を十分に高めた屋根葺き構造を提供することができる。
また、受け部２１は、略台形状に形成された第１受け部２３と、この第１受け部２３の頂辺部２３ａに固定した第２受け部２５とで構成されており、屋根支持材２０に複雑な形状を施さなくても一対の下段受け部２３ｃ及び一対の上段受け部２５ｃを形成することができるので、屋根支持材２０の製造コストの低減化を図ることができる。
なお、受け部２１（第１受け部２３及び第２受け部２５）は、必ずしも左右対称の形状でなくとも前記屋根葺き構造を構成することは可能であるが、特に受け部２１を左右対称の形状とすることにより、屋根材２２Ａ（２２Ｂ）を受け部２１に係止する際、受け部２１の方向性を気にせずに効率よく作業することができる。
【図面の簡単な説明】
【００２１】
【図１】本発明に係る屋根葺き構造を軒棟方向から示した図である。
【図２】本発明に係る屋根葺き構造において構造材に設けた受け部に隣接配置した屋根材の端部同士が係止している状態を示す図である。
【図３】本発明に係る屋根葺き構造を構成する屋根材を示す側面図である。
【図４】従来の屋根葺き構造の構成を示す図である。
【符号の説明】
【００２２】
２０…屋根支持材、２１…受け部、２２Ａ，２２Ｂ…屋根材、２３…第１受け部、２３ａ…頂辺部、２３ｂ    …斜辺部、２３ｃ…下段受け部、２４…固定ビス、２５…第２受け部、２５ａ…当接板部、２５ｂ…係合板部、２５ｃ…上段受け部、２６…主板部、２７…すくい側係止部、２８…かぶせ側係止部、２９…凸条、３０…すくい側下段係止部、３１…受け部当接部、３２…すくい側上段係止部、３３，３７…かぶせ側下段係止部、３４，３６…かぶせ側上段係止部、３５…天板部、３８…主板係止部
【図１】
2010070982.tif 000003
【図２】
2010070982.tif 000004
【図３】
2010070982.tif 000005
【図４】
2010070982.tif 000006